(57)【要約】【課題】特別の構成の紗張り装置を新たに提供し、紗１全体を均一に拡張させる。【解決手段】４本のコイルばね２，３が四角形状に配置される。コイルばねは連続する多数の一巻き部分からなる。さらに、多数の拘束手段が各コイルばねに沿って配列され、互いに異なる一巻き部分に固定され、各拘束手段によって紗の四辺が拘束され、伸張手段が各コイルばねの両端に連結され、伸張手段によって各コイルばねが伸張する。さらに、紗の四辺に直角の方向において、コイルばねおよび伸張手段が紗の外方に移動し、各拘束手段によって紗全体が拡張される。【選択図】図１
2005103967.tif 000002
【特許請求の範囲】
【請求項１】
連続する多数の一巻き部分からなり、四角形状に配置された４本のコイルばねと、
前記各コイルばねに沿って配列され、互いに異なる一巻き部分に固定されており、紗の四辺を拘束する多数の拘束手段と、
前記各コイルばねの両端に連結され、前記各コイルばねを伸張させる伸張手段と、
前記紗の四辺に直角の方向において、前記コイルばねおよび伸張手段を前記紗の外方に移動させる移動手段とからなり、
前記各拘束手段によって前記紗全体を拡張させるようにしたことを特徴とする紗張り装置。
【発明の詳細な説明】
【技術分野】
【０００１】
この発明は、印刷または捺染に使用する紗全体を拡張させる紗張り装置に関するものである。
【背景技術】
【０００２】
印刷または捺染に使用する紗については、型枠に張るとき、紗全体を適宜拡張させることが要求される。これまでにも、それを達成する装置がいくつか提案され、使用されている。たとえば、特開平９−１０９３６２号公報（特許文献１）に記載されているものがそれである。同公報の装置では、多数のクランパによって紗の四辺がクランプされ、紗の四辺に直角の方向において、各クランパが外方に移動する。これによって紗全体が拡張されるものである。
【０００３】
しかしながら、紗の四辺に直角の方向において、各クランパを紗の外方に移動させるだけでは、当然のことであるが、紗全体を均一に拡張させることはできない。紗全体を均一に拡張させるには、各クランパが互いに離れる方向に移動し、そのピッチが漸次増大するようにする必要がある。
【０００４】
したがって、この発明は、特別の構成の紗張り装置を新たに提供し、紗全体を均一に拡張させることを目的としてなされたものである。
【特許文献１】特開平９−１０９３６２号公報
【発明の開示】
【０００５】
この発明によれば、４本のコイルばねが四角形状に配置される。コイルばねは連続する多数の一巻き部分からなる。さらに、多数の拘束手段が各コイルばねに沿って配列され、互いに異なる一巻き部分に固定され、各拘束手段によって紗の四辺が拘束され、伸張手段が各コイルばねの両端に連結され、伸張手段によって各コイルばねが伸張する。さらに、紗の四辺に直角の方向において、コイルばねおよび伸張手段が紗の外方に移動する。したがって、各拘束手段によって紗全体が拡張される。
【発明を実施するための最良の形態】
【０００６】
以下、この発明の実施例を説明する。
【０００７】
図１はこの発明にかかる紗張り装置を示す。この装置は紗１全体を拡張させるためのもので、４本のコイルばね２，３を有する。紗１は印刷または捺染に使用するもので、四角形状をなし、コイルばね２，３は縦方向ばね２と横方向ばね３からなり、四角形状に配置されている。この実施例では、４本のケーシング４が四角形状に配置され、各コイルばね２，３が各ケーシング４に収容され、四角形状に配置されている。ケーシング４は矩形状断面のもので、その上面は同一面内にある。さらに、図２に示すように、コイルばね２，３は連続する一巻き部分５からなり、ケーシング４内において、コイルばね２，３はスリーブ６のまわりに配置されており、ケーシング４の長さ方向にのびる。
【０００８】
さらに、多数の拘束手段が各コイルばね２，３に沿って配列され、互いに異なる一巻き部分５に固定され、各拘束手段によって紗１の四辺が拘束される。この実施例では、多数の固定部材７が各コイルばね２，３に沿って配列され、互いに異なる一巻き部分５に固定され、図４に示すように、一定幅のガイドみぞ８がケーシング４の上面に形成され、各固定部材７がそのガイドみぞ８にはめ合わされている。ガイドみぞ８はケーシング４の長さ方向にのびる。さらに、拘束手段に針９が使用され、各固定部材７において、複数本の針９が固定部材７の上面に植え込まれており、固定部材７によって針９と一巻き部分５が固定されている。したがって、紗１の目を各針９に通し、係合させ、各針９によって紗１の四辺を拘束することができる。
【０００９】
さらに、この装置では、伸張手段が各コイルばね２，３の両端に連結され、伸張手段によって各コイルばね２，３が伸張する。この実施例では、伸張手段にターンバックルが使用され、４本のねじ棒１０がコイルばね２，３と組み合わされており、各ねじ棒１０がコイルばね２，３およびスリーブ６を貫通し、各ケーシング４に収容され、回転可能に支持されている。ねじ棒１０は一対のねじ部分１１を有し、ねじ部分１１は逆方向に形成されている。さらに、一対のナット部材１２がそれと組み合わされ、各ナット部材１２が各ねじ部分１１にねじ合わされている。その位置はコイルばね２，３の両側の位置である。さらに、コイルばね２，３の両端が一対の連結部材１３に固定され、各連結部材１３が各ナット部材１２に固定されており、ねじ棒１０およびナット部材１２が各コイルばね２，３の両端に連結されている。さらに、各ねじ棒１０がケーシング４の一端から突出し、操作ハンドル１４がねじ棒１０の突出端に設けられている。したがって、ハンドル１４によって各ねじ棒１０を回転させると、各ねじ棒１０において、そのねじ部分１１が各ナット部材１２に作用し、各ナット部材１２が逆方向に移動する。したがって、ねじ棒１０、ナット部材１２および連結部材１３によって各コイルばね２，３が引っ張られ、伸張する。
【００１０】
なお、この装置では、ケーシング４の四隅において、各ねじ棒１０が互いに交差する。この関係上、たとえば、横方向ばね３は縦方向ばね２よりも下方に配置されている。さらに、固定部材７によってその段差が補われ、縦方向ばね２については、その固定部材７として上下方向に短いものが使用され、それがコイルばね２の一巻き部分５に固定され、ケーシング４のガイドみぞ８にはめ合わされており、横方向ばね３については、その固定部材７として上下方向に長いものが使用され、それがコイルばね３の一巻き部分５に固定され、ケーシング４のガイドみぞ８にはめ合わされている。
【００１１】
さらに、この装置では、図１の矢印Ａで示されているように、紗１の四辺に直角の方向において、コイルばね２，３およびねじ棒１０が紗１の外方に移動し、各針９が紗１の外方に移動する。たとえば、移動手段にエアシリンダが使用され、ケーシング４がエアシリンダに連結され、支持されており、エアシリンダによって各ケーシング４が移動する。その方向は紗１の四辺に直角の方向であり、ケーシング４は紗１の外方に移動する。したがって、紗１の四辺に直角の方向において、コイルばね２，３およびねじ棒１０が紗１の外方に移動し、各針９が紗１の外方に移動するものである。各ケーシング４を移動させるエアシリンダの詳細については、同様のものが特開平９−１０９３６２号公報に記載されており、その説明は省略する。
【００１２】
したがって、この装置において、紗１の四辺の拘束後、ハンドル１４によって各ねじ棒１０を回転させると、ねじ棒１０、ナット部材１２および連結部材１３によって各コイルばね２，３が伸張し、図３に示すように、その一巻き部分５によって各固定部材７が引っ張られ、各固定部材７がケーシング４のガイドみぞ８に沿ってスライドし、互いに離れる方向に移動する。各針９も固定部材７と一体的に移動する。これと同時に、エアシリンダによって各ケーシング４を移動させ、紗１の四辺に直角の方向において、コイルばね２，３およびねじ棒１０を紗１の外方に移動させると、紗１の四辺に直角の方向において、各針９が紗１の外方に移動する。したがって、各針９によって紗１全体が拡張される。しかも、コイルばね２，３は高い直線性をもち、全長にわたって均一に伸張する。したがって、各固定部材７が互いに離れる方向に移動し、そのピッチが漸次増大し、各針９も互いに離れる方向に移動し、そのピッチが漸次増大し、紗１全体が均一に拡張される。
【００１３】
その後、型枠が紗１に押し付けられ、ボンドによってそれが固定され、紗１が型枠に張られる。
【００１４】
なお、この実施例では、拘束手段に針９を使用したものを説明したが、必ずしもその必要はない。たとえば、拘束手段にクランパを使用し、多数のクランパを各コイルばね２，３に沿って配列し、互いに異なる一巻き部分５に固定する。そして、各クランパによって紗１の四辺をクランプし、拘束するようにしてもよい。
【００１５】
伸張手段と同様、移動手段にエアシリンダではなく、ターンバックルを使用し、２本のねじ棒をケーシング４と組み合わせ、各ねじ棒を紗１の四辺に直角の方向に配置し、ねじ棒およびナット部材によって各ケーシング４を移動させるようにしてもよい。この場合、合計６本のねじ棒が使用されるが、ギヤなどの伝動手段によって各ねじ棒を連結し、ハンドルによって特定のねじ棒を回転させると、それによって他のねじ棒が回転し、各コイルばね２，３が伸張し、移動し、針９またはクランプによって紗１全体が拡張されるようにしてもよい。
【００１６】
以上説明したように、この発明によれば、紗１全体を均一に拡張させることができ、所期の目的を達成することができるものである。
【図面の簡単な説明】
【００１７】
【図１】この発明の実施例を示す平面図である。
【図２】図１のケーシングの縦断面図である。
【図３】図２の針が移動した状態を示す説明図である。
【図４】図２のケーシングの横断面図である。
【符号の説明】
【００１８】
１  紗
２，３  コイルばね
５  一巻き部分
９  針
１０  ねじ棒
１２  ナット部材
【図１】
2005103967.tif 000003
【図２】
2005103967.tif 000004
【図３】
2005103967.tif 000005
【図４】
2005103967.tif 000006